(57)【要約】【課題】各櫛歯片間における頭髪の保持性を向上させ、頭髪に対する内容液の塗布が十分にかつ効率良く行なうことを実現する。【解決手段】スクイズ性を有する容器本体２の口筒部３に密に組付く組付き筒５の上端に、内鍔状の頂壁６を介して前後に偏平に形成し、内部に中空部１２を設けた起立筒７を立設し、該起立筒７上端部に櫛歯体１５を密に組み付けるものであって、前記櫛歯体１５は、上端部左右方向に注出孔１６を設けた櫛歯片１４の傾斜方向と同方向に、注出孔１６から中空部１２に連通する注出路１７を傾斜させて貫設し、該櫛歯片１４の上端部同士が配列方向に重なるように、等間隔で千鳥足状に複数起立設して成る【選択図】        図１
2004351078.tif 000002
【特許請求の範囲】
【請求項１】
スクイズ性を有する容器本体（２）の口筒部（３）に密に組付く組付き筒（５）の上端に、内鍔状の頂壁（６）を介して前後に偏平に形成し、内部に中空部（１２）を設けた起立筒（７）を立設し、該起立筒（７）上端部に櫛歯体（１５）を密に組み付けるものであって、
前記櫛歯体（１５）は、上端部左右方向に注出孔（１６）を設けた櫛歯片（１４）の傾斜方向と同方向に、注出孔（１６）から中空部（１２）に連通する注出路（１７）を傾斜させて貫設し、該櫛歯片（１４）の上端部同士が配列方向に重なるように、等間隔で千鳥足状に複数起立設して成る櫛付きキャップ。
【請求項２】
櫛歯片（１４）には、頭髪の梳き方向である前後方向一方端に欠け部（１９）を形成してなる請求項１に記載の櫛付きキャップ。
【請求項３】
櫛歯片（１４）の注出孔（１６）は、上端部同士が配列方向に重なり、配列方向ほぼ中央で左右方向一直線に配列して成る請求項１又は２に記載の櫛付きキャップ。
【請求項４】
櫛歯体（１５）は、ベース（２０）上に櫛歯片（１４）を起立設すると共に該ベース（２０）底面には左右両端の櫛歯片（１４）の直下に嵌合突片（２４）を垂下設し、注出路（１７）を有する櫛歯片（１４）の直下に嵌合筒片（２２）を設け、起立筒（７）の上部には、櫛歯体（１５）のベース（２０）を密に組み付け可能な櫛歯体嵌着部（１８）を介して左右両端部に枠櫛歯片（１３）を起立設し、該櫛歯体嵌着部（１８）に、嵌合筒片（２２）が嵌着可能な嵌合孔（２１）と、嵌合突片（２４）が嵌着する嵌合穴（２３）とを穿設した天板（８ａ）を設け、前記枠櫛歯片（１３）及び櫛歯片（１４）には、頭髪の梳き方向である前後方向一方端に欠け部（１９）を形成してなる請求項１記載の櫛付きキャップ。
【発明の詳細な説明】
【０００１】
【発明の属する技術分野】
本発明は、容器本体に収納された白髪染め液やヘアマニキュア、整髪料等の内容液を、容器本体から頭髪に直接塗布すべく構成した櫛付きキャップに関する。
【０００２】
【従来の技術】
スクイズ性を有する容器本体にキャップとして組付けられ、容器本体の白髪染め液やヘアマニキュア、整髪料等の内容液を直接頭髪に塗布することができる様にした櫛付きキャップとして、出願人の特開２００２−２２３８４１号公報（特許文献１参照）がある。
この従来技術は、櫛歯片を千鳥足状に配置し、頭髪を梳く時の、櫛歯片と頭髪との間の頭髪保持力を維持し、注出孔から注出される内容液を頭髪に確実に塗布するものである。
【０００３】
【特許文献１】
特開２００２−２２３８４１号公報
【０００４】
【発明が解決しようとする課題】
上記従来技術にあっては、頭髪を梳く時の、櫛歯片と頭髪との間の頭髪保持力を維持し、注出孔から注出される内容液を頭髪に確実に塗布するものであるが、本発明は従来技術より各櫛歯片間における頭髪の保持性を向上させることを課題としている。
【０００５】
そこで、本発明は、各櫛歯片間における頭髪の保持性を向上させることを技術的課題とし、頭髪に対する内容液の塗布が十分にかつ効率良く行なわれることが可能な櫛付きキャップの提供を目的としている。
【０００６】
【課題を解決するための手段】
上記技術的課題を解決する本発明の手段として、請求項１の発明に係る櫛付きキャップは、スクイズ性を有する容器本体の口筒部に密に組付く組付き筒の上端に、内鍔状の頂壁を介して前後に偏平に形成し、内部に中空部を設けた起立筒を立設し、該起立筒上端部に櫛歯体を密に組み付けるものであって、
前記櫛歯体は、上端部左右方向には注出孔を設けた櫛歯片の傾斜方向と同方向に、注出孔から中空部に連通する注出路を傾斜させて貫設し、該櫛歯片の上端部同士が配列方向に重なるように、等間隔で千鳥足状に複数起立設して成るものである。
【０００７】
請求項２の発明は、請求項１に記載の櫛付きキャップにおいて、櫛歯片には、頭髪の梳き方向である前後方向一方端に欠け部を形成してなる。
【０００８】
請求項３の発明は、請求項１又は２に記載の櫛付きキャップにおいて、櫛歯片の注出孔は、上端部同士が配列方向に重なり、配列方向ほぼ中央で左右方向一直線に配列して成る。
【０００９】
請求項４の発明は、請求項１に記載の櫛付きキャップにおいて、櫛歯体は、ベース上に櫛歯片を起立設すると共に該ベース底面には左右両端の櫛歯片の直下に嵌合突片を垂下設し、注出路を有する櫛歯片の直下に嵌合筒片を設け、起立筒の上部には、櫛歯体のベースを密に組み付け可能な櫛歯体嵌着部を介して左右両端部に枠櫛歯片を起立設し、該櫛歯体嵌着部に、嵌合筒片が嵌着可能な嵌合孔と、嵌合突片が嵌着する嵌合穴とを穿設した天板を設け、前記枠櫛歯片及び櫛歯片には、頭髪の梳き方向である前後方向一方端に欠け部を形成してなるものである。
【００１０】
【発明の実施の形態】
本発明の第一実施例は、図１〜図４を参照して説明する。
本発明に係る第一実施例の櫛付きキャップ１は、スクイズ性を有する胴部４を備えた容器本体２の口筒部３に密に組付く組付き筒５を下部に有するものであり、該組付き筒５の上端に内鍔状の頂壁６を介して前後に内部に中空部１２を設けた偏平な起立筒７が立設されている。
【００１１】
また、起立筒７の上端部には嵌合凹部１０が設けられ、櫛歯体１５は、頂板８上面に櫛歯片１４を起立設し、該頂板８裏面には嵌合凹部１０に嵌合可能な突状片１１を設け、嵌まり込みアンダーカット結合により、嵌合凹部１０に突状片１１を嵌合し、起立筒７上端部に櫛歯体１５が密に組み付けられる構成にされている。
【００１２】
さらに、前記櫛歯体１５は、上端部左右方向に注出孔１６を設けた櫛歯片１４の傾斜方向と同方向に、注出孔１６から中空部１２に連通する注出路１７を傾斜させて貫設し、該櫛歯片１４の上端部同士が配列方向に重なるように、等間隔で千鳥足状に複数起立設されている。
【００１３】
また、前記櫛歯片１４には、頭髪を梳く際における頭髪の保持能力を高めるため、頭髪の梳き方向である前後方向一方端例えば、互いに対向する内側端に欠け部１９を形成している。
【００１４】
さらに、櫛歯片１４は、上端部同士が配列方向に重なり、配列方向ほぼ中央で左右方向一直線に配列されている。すなわち、左右方向中間に起立設された櫛歯片１４の注出孔１６、左右両端に起立設された櫛歯片１４の横孔１６ａは、左右方向一直線に配列され、成形上、例えば、櫛歯体１５を一体成形する時のピン抜き孔の役割をなすものである（図１〜３、及び後述する第二実施例の図５〜７参照）。
【００１５】
本発明の第二実施例を図５〜図８により説明する。
本発明に係る第二実施例の櫛付きキャップ１は、スクイズ性を有する胴部４を備えた容器本体２の口筒部３に密に組付く組付き筒５を下部に有するものであり、該組付き筒５の上端に内鍔状の頂壁６を介して内部に中空部１２を設けた前後に偏平な起立筒７が立設されている。
【００１６】
頂壁６の下面には、容器本体２の口筒部３に密嵌入する短円筒状のシール筒片９が設けられ、容器本体２の口筒部３に対する組み付きを液密に達成させている。
【００１７】
櫛歯体１５は、ベース２０上に、第一実施例と同構成の櫛歯片１４を起立設すると共に該ベース２０底面には左右両端の櫛歯片１４の直下に嵌合突片２４を垂下設し、注出路１７を有する櫛歯片１４の直下に嵌合筒片２２が設けられている。
【００１８】
また、起立筒７の上部には、櫛歯体１５のベース２０を嵌着可能な櫛歯体嵌着部１８を介して左右両端部に枠櫛歯片１３を起立設し、該櫛歯体嵌着部１８に、嵌合筒片２２が嵌着可能な嵌合孔２１と、嵌合突片２４が嵌着する嵌合穴２３とを穿設した天板８ａが設けられている。
前記櫛歯体１５は、櫛歯体嵌着部１８に嵌合筒片２２を嵌合孔２１に、嵌合突片２４を嵌合穴２３に嵌着して、密に組み付けられている。
【００１９】
さらに、前記枠櫛歯片１３及び櫛歯片１４には、頭髪の梳き方向である前後方向一方端に欠け部１９が形成されている。
【００２０】
前記起立筒７上部の天板８ａは、櫛歯体１５を強固かつ安定して組み付け保持するに充分な強度を発揮する肉厚で形成されており、上面を平坦面とした平板状に形成されている。
【００２１】
また、起立筒７の左右両端部には、注出孔１６から流出した内容液が外部に垂れ落ちるのを規制して衣服や周囲を汚すことを防止するため、櫛歯片１４とほぼ同形状の枠櫛歯片１３が起立設されている。
【００２２】
さらに、前記枠櫛歯片１３にも櫛歯片１４と同様に、頭髪を梳く際における頭髪の保持能力を高めるため、頭髪の梳き方向である前後方向一方端、すなわち、互いに対向する内側端に欠け部１９を形成するのがよい。
【００２３】
なお、第二実施例のような、枠櫛歯片１３を起立筒７に起立設し、これとは別体に形成した櫛歯体１５を組み付ける構成の場合は、枠櫛歯片１３に横孔１９を設ける必要はない。
【００２４】
前述した枠櫛歯片１３及び櫛歯片１４並びに起立筒７の外面は、これらの箇所に頭髪が引っ掛かかることがないように滑らかな曲面に形成されている。
【００２５】
【発明の効果】
上述した構成の本発明によれば、以下の効果を奏する。
請求項１の発明により、櫛歯片は千鳥足状に配設され、かつ各櫛歯片を傾斜させてあるため、頭髪梳き時の櫛付きキャップと頭髪との間の摩擦抵抗を減少させることができ、注出した内容液の良好な保持能力を維持したまま、頭髪に対する櫛の通りを良好にできる。
【００２６】
また、請求項１の発明により、注出路は櫛歯片の傾斜方向と同方向に傾斜させて成形されていることにより、櫛歯片の上端部に注出孔が開設できる。
【００２７】
また、請求項１の発明により、櫛歯片の上端部に注出孔が開設してあるため、頭髪を梳く場合は注出口を頭髪の生え際近くまで差込み、頭髪の生え際近くに内容液を注出して塗布できる。
【００２８】
請求項２の発明により、頭髪を梳く時に、欠け部により頭髪の保持能力を高め、更に欠け部の櫛歯片の厚み部位に注出孔より注出された内容液を頭髪に塗布する際には、一時的に内容液をしごき保持するため、毛先まで内容液を誘導させることが可能になる。また、頭髪を梳く際には、ヘアブラシで頭髪を梳く時と同様なブラシ感覚を持たせることができる。
【００２９】
請求項３の発明により、櫛歯体の注出孔及び横孔は、成形上、例えば、櫛歯体を一体成形する時のピン抜き孔となり、一体射出成形が容易にできる。
【００３０】
請求項４の発明により、頭髪を梳く時に、欠け部により頭髪の保持能力を高め、更に欠け部の櫛歯片の厚み部位に注出孔より注出された内容液を頭髪に塗布する際には、一時的に内容液をしごき保持するため、毛先まで内容液を誘導させることが可能になる。また、頭髪を梳く際には、ヘアブラシで頭髪を梳く時と同様なブラシ感覚を持たせることができる。
【図面の簡単な説明】
【図１】本発明の第一実施例の、容器本体に組付けた状態での櫛付きキャップの全体斜視図。
【図２】本発明の第一実施例の、容器本体に組付けた状態での櫛付きキャップの平面図。
【図３】本発明の第一実施例の、櫛付きキャップのＡ―Ａ断面図。
【図４】本発明の第一実施例の、櫛付きキャップのＢ―Ｂ断面図。
【図５】本発明の第二実施例の、容器本体に組付けた状態での櫛付きキャップの全体斜視図。
【図６】本発明の第二実施例の、容器本体に組付けた状態での櫛付きキャップの平面図。
【図７】本発明の第二実施例のＣ―Ｃ断面図。
【図８】本発明の第二実施例のＤ―Ｄ断面図。
【符号の説明】
１  櫛付きキャップ
２  容器本体
３  口筒部
４  胴部
５  組付き筒
６  頂壁
７  起立筒
８  頂板
８ａ  天板
９  シール筒片
１０  嵌合凹部
１１  突状片
１２  中空部
１３  枠櫛歯片
１４  櫛歯片
１５  櫛歯体
１６  注出孔
１６ａ  横孔
１７  注出路
１８  櫛歯体嵌着部
１９  欠け部
２０  ベース
２１  嵌合孔
２２  嵌合筒片
２３  嵌合穴
２４  嵌合突片
【図１】
2004351078.tif 000003
【図２】
2004351078.tif 000004
【図３】
2004351078.tif 000005
【図４】
2004351078.tif 000006
【図５】
2004351078.tif 000007
【図６】
2004351078.tif 000008
【図７】
2004351078.tif 000009
【図８】
2004351078.tif 000010